(57)【要約】【課題】本発明は、複数の情報処理装置をあたかも一つの情報処理装置を使用しているような感覚にし、使い勝手を向上し得る。【解決手段】本発明は、いずれかのパーソナルコンピュータ２Ａ及び２Ｂで所定のデータが共有化対象に指定されると、共有化対象データをアップロードすることによりサービスサーバ３で記憶させ、他のパーソナルコンピュータ２Ａ及び２Ｂで当該共有化対象データをダウンロードさせて、各パーソナルコンピュータ２Ａ及び２Ｂで同じ共有化対象データを共有化させることにより、ユーザがいずれのパーソナルコンピュータ２Ａ及び２Ｂを使用した場合であっても同じ共有化対象データを所定の処理に用いることができ、複数のパーソナルコンピュータ２Ａ及び２Ｂをあたかも一つのパーソナルコンピュータ２Ａ及び２Ｂを使用しているような感覚にし、使い勝手を向上し得る。【選択図】        図１
2004220451.tif 000002
【特許請求の範囲】
【請求項１】
情報記憶装置にネットワークを介して複数の情報処理装置が接続されて構築された情報共有化システムにおいて、
上記情報記憶装置は、
上記複数の情報処理装置から上記ネットワークを介して送信された共有化対象情報を受信する共有化対象情報受信手段と、
上記共有化対象情報受信手段によって受信した上記共有化対象情報を記憶する共有化対象情報記憶手段と、
上記共有化対象情報記憶手段に記憶した上記共有化対象情報を共有化情報として当該共有化対象情報の送信元となる上記複数の情報処理装置とは異なる他の上記複数の情報処理装置に上記ネットワークを介して送信する共有化情報送信手段と
を具え、
上記情報処理装置は、
各種情報を記憶する各種情報記憶手段と、
上記各種情報記憶手段に記憶している上記各種情報のうち所望の情報を共有化対象に指定させるための指定手段と、
上記指定手段を介して上記所望の情報が上記共有化対象に指定されると、当該共有化対象に指定された上記所望の情報を上記共有化対象情報として上記情報記憶装置に上記ネットワークを介して送信する共有化対象情報送信手段と、
上記情報記憶装置から上記ネットワークを介して送信された上記共有化情報を受信する共有化情報受信手段と、
上記共有化情報受信手段によって受信した上記共有化情報を記憶する共有化情報記憶手段と
を具えることを特徴とする情報共有化システム。
【請求項２】
上記情報記憶装置の上記共有化対象情報受信手段は、
上記複数の情報処理装置から上記共有化対象情報と共に送信された当該共有化対象情報を識別するための識別情報を受信し、
上記情報記憶装置の上記共有化対象情報記憶手段は、
上記共有化対象情報受信手段によって受信した上記識別情報を用いて、すでに記憶している上記共有化対象情報を検索し、上記識別情報に対応する上記共有化対象情報をすでに記憶しているときには、当該すでに記憶している上記共有化対象情報に上記識別情報と共に受信した新たな共有化対象情報を上書きして記憶し、
上記情報処理装置の上記共有化対象情報送信手段は、
上記指定手段を介して上記所望の情報が上記共有化対象に指定されると、当該共有化対象に指定された上記所望の情報を上記共有化対象情報として上記識別情報と共に上記情報記憶装置に上記ネットワークを介して送信する
ことを特徴とする請求項１に記載の情報共有化システム。
【請求項３】
上記情報処理装置は、
上記共有化情報の削除を指示させるための削除指示手段と、
上記削除指示手段を介して削除の指示された上記共有化情報を上記共有化情報記憶手段により削除した際に、当該削除した上記共有化情報を上記情報記憶装置側でも削除させるか否かの記憶装置削除設定内容を指定させるための記憶装置削除設定指定手段と
を具え、
上記情報処理装置の上記共有化対象情報送信手段は、
上記共有化情報記憶手段により上記共有化情報を削除した際に、上記削除設定内容により当該共有化情報を上記情報記憶装置側でも削除するように設定されていると、上記削除した共有化情報の上記識別情報を削除要求と共に上記ネットワークを介して上記情報記憶装置に送信し、
上記情報記憶装置の上記共有化対象情報受信手段は、
上記情報処理装置から上記ネットワークを介して送信された上記識別情報及び上記削除要求を受信し、
上記情報記憶装置の上記共有化対象情報記憶手段は、
上記共有化対象情報受信手段によって上記削除要求と共に受信した上記識別情報に対応する上記共有化対象情報を削除する
ことを特徴とする請求項２に記載の情報共有化システム。
【請求項４】
上記情報処理装置は、
上記情報記憶装置で上記共有化情報が削除された際に当該共有化情報を上記共有化情報記憶手段でも削除させるか否かの記憶手段削除設定内容を指定させるための記憶手段削除設定指定手段
を具え、
上記情報記憶装置の上記共有化情報送信手段は、
上記共有化対象情報記憶手段により上記共有化情報を削除した際に、当該共有化情報の削除を通知する削除通知を当該共有化情報の削除元となる上記複数の情報処理装置とは異なる他の上記複数の情報処理装置に上記ネットワークを介して送信し、
上記情報処理装置の上記共有化情報受信手段は、
上記情報記憶装置から上記ネットワークを介して送信された上記削除通知を受信し、
上記情報処理装置の上記共有化情報記憶手段は、
上記共有化情報受信手段によって上記削除通知を受信した際に、上記記憶手段削除設定内容により上記削除された上記共有化情報を上記共有化情報記憶手段でも削除するように設定されていると、上記削除された上記共有化情報を削除することを特徴とする請求項３に記載の情報共有化システム。
【請求項５】
情報記憶装置にネットワークを介して他の複数の情報処理装置と共に接続された情報処理装置において、
各種情報を記憶する各種情報記憶手段と、
上記各種情報記憶手段に記憶している上記各種情報のうち所望の情報を共有化対象に指定させるための指定手段と、
上記指定手段を介して上記所望の情報が上記共有化対象に指定されると、当該共有化対象に指定された上記所望の情報を上記共有化対象情報とし、上記情報記憶装置に当該共有化対象情報を記憶させ、当該情報記憶装置から上記記憶させた上記共有化対象情報を共有化情報として上記他の複数の情報処理装置に上記ネットワークを介して送信させるための上記共有化対象情報を上記情報記憶装置に上記ネットワークを介して送信する共有化対象情報送信手段と、
上記情報記憶装置に上記他の複数の情報処理装置から上記ネットワークを介して送信された、上記記憶された上記共有化対象情報でなる共有化情報を受信する共有化情報受信手段と、
上記共有化情報受信手段によって受信した上記共有化情報を記憶する共有化情報記憶手段と
を具えることを特徴とする情報処理装置。
【請求項６】
上記共有化対象情報送信手段は、
上記指定手段を介して上記所望の情報が上記共有化対象に指定されると、当該共有化対象に指定された上記所望の情報を上記共有化対象情報とし、上記情報記憶装置で上記共有化対象情報を識別するための識別情報を用いて、すでに記憶している共有化対象情報を検索し、上記識別情報に対応する上記共有化対象情報をすでに記憶しているときには、当該すでに記憶している上記共有化対象情報に上記識別情報と共に受信した新たな共有化対象情報を上書きして記憶させるための上記共有化対象情報及び上記識別情報を上記ネットワークを介して上記情報記憶装置に送信する
ことを特徴とする請求項５に記載の情報処理装置。
【請求項７】
上記共有化情報の削除を指示させるための削除指示手段と、
上記削除指示手段を介して削除の指示された上記共有化情報を上記共有化情報記憶手段により削除した際に、当該削除した上記共有化情報を上記情報記憶装置側でも削除させるか否かの記憶装置削除設定内容を指定させるための記憶装置削除設定指定手段と
を具え、
上記共有化対象情報送信手段は、
上記共有化情報記憶手段により上記共有化情報を削除した際に、上記削除設定内容により当該共有化情報を上記情報記憶装置側でも削除するように設定されていると、上記情報記憶装置ですでに記憶している共有化対象情報のうち、上記削除した上記共有化情報の上記識別情報に対応する上記共有化対象情報を削除させるために当該識別情報を削除要求と共に上記ネットワークを介して上記情報記憶装置に送信する
ことを特徴とする請求項６に記載の情報処理装置。
【請求項８】
上記情報記憶装置側で上記共有化情報が削除された際に当該共有化情報を上記共有化情報記憶手段でも削除させるか否かの記憶手段削除設定内容を指定させるための記憶手段削除設定指定手段
を具え、
上記共有化情報受信手段は、
上記他の複数の情報処理装置で上記共有化情報が削除されたことに合わせて上記情報記憶装置で当該共有化情報でなる上記共有化対象情報を削除した際に当該情報記憶装置から上記ネットワークを介して送信された上記共有化対象情報の削除を通知する削除通知を受信し、
上記共有化情報記憶手段は、
上記共有化情報受信手段によって上記削除通知を受信した際に、上記記憶手段削除設定内容により上記削除された上記共有化情報を上記共有化情報記憶手段でも削除するように設定されていると、上記削除された上記共有化情報を削除することを特徴とする請求項７に記載の情報処理装置。
【請求項９】
情報記憶装置にネットワークを介して接続された複数の情報処理装置との間で行う情報処理方法において、
各種情報を記憶する各種情報記憶ステップと、
上記各種情報記憶ステップで記憶している上記各種情報のうち所望の情報を共有化対象に指定させるための指定ステップと、
指定手段を介して上記所望の情報が上記共有化対象に指定されると、当該共有化対象に指定された上記所望の情報を上記共有化対象情報とし、上記情報記憶装置に当該共有化対象情報を記憶させ、当該情報記憶装置から上記記憶させた上記共有化対象情報を共有化情報として上記他の複数の情報処理装置に上記ネットワークを介して送信させるための上記共有化対象情報を上記情報記憶装置に上記ネットワークを介して送信する共有化対象情報送信ステップと、
上記情報記憶装置に上記他の複数の情報処理装置から上記ネットワークを介して送信された、上記記憶された上記共有化対象情報でなる共有化情報を受信する共有化情報受信ステップと、
上記共有化情報受信ステップによって受信した上記共有化情報を記憶する共有化情報記憶ステップと、
を具えることを特徴とする情報処理方法。
【請求項１０】
上記共有化対象情報送信ステップは、
上記指定手段を介して上記所望の情報が上記共有化対象に指定されると、当該共有化対象に指定された上記所望の情報を上記共有化対象情報とし、上記情報記憶装置で上記共有化対象情報を識別するための識別情報を用いて、すでに記憶している共有化対象情報を検索し、上記識別情報に対応する上記共有化対象情報をすでに記憶しているときには、当該すでに記憶している上記共有化対象情報に上記識別情報と共に受信した新たな共有化対象情報を上書きして記憶させるための上記共有化対象情報及び上記識別情報を上記ネットワークを介して上記情報記憶装置に送信する
ことを特徴とする請求項９に記載の情報処理方法。
【請求項１１】
上記共有化情報の削除を指示させるための削除指示ステップと、
上記削除指示ステップにより削除の指示された上記共有化情報を上記共有化情報記憶ステップで削除した際に、当該削除した上記共有化情報を上記情報記憶装置側でも削除させるか否かの記憶装置削除設定内容を指定させるための記憶装置削除設定指定ステップと
を具え、
上記共有化対象情報送信ステップは、
上記共有化情報記憶ステップで上記共有化情報を削除した際に、上記削除設定内容により当該共有化情報を上記情報記憶装置側でも削除するように設定されていると、上記情報記憶装置ですでに記憶している共有化対象情報のうち、上記削除した上記共有化情報の上記識別情報に対応する上記共有化対象情報を削除させるために当該識別情報を削除要求と共に上記ネットワークを介して上記情報記憶装置に送信する
ことを特徴とする請求項１０に記載の情報処理方法。
【請求項１２】
上記情報記憶装置側で上記共有化情報が削除された際に当該共有化情報を上記共有化情報記憶ステップでも削除させるか否かの記憶手段削除設定内容を指定させるための記憶手段削除設定指定ステップ
を具え、
上記共有化情報受信ステップは、
上記他の複数の情報処理装置で上記共有化情報が削除されたことに合わせて上記情報記憶装置で当該共有化情報でなる上記共有化対象情報を削除した際に当該情報記憶装置から上記ネットワークを介して送信された上記共有化対象情報の削除を通知する削除通知を受信し、
上記共有化情報記憶ステップは、
上記共有化情報受信ステップによって上記削除通知を受信した際に、上記記憶手段削除設定内容により上記削除された上記共有化情報を上記共有化情報記憶ステップでも削除するように設定されていると、上記削除された上記共有化情報を削除する
ことを特徴とする請求項１１に記載の情報処理方法。
【請求項１３】
情報記憶装置にネットワークを介して他の複数の情報処理装置と共に接続された情報処理装置に対して、
各種情報を記憶する各種情報記憶ステップと、
上記各種情報記憶ステップで記憶している上記各種情報のうち所望の情報を共有化対象に指定させるための指定ステップと、
指定手段を介して上記所望の情報が上記共有化対象に指定されると、当該共有化対象に指定された上記所望の情報を上記共有化対象情報とし、上記情報記憶装置に当該共有化対象情報を記憶させ、当該情報記憶装置から上記記憶させた上記共有化対象情報を共有化情報として上記他の複数の情報処理装置に上記ネットワークを介して送信させるための上記共有化対象情報を上記情報記憶装置に上記ネットワークを介して送信する共有化対象情報送信ステップと、
上記情報記憶装置に上記他の複数の情報処理装置から上記ネットワークを介して送信された、上記記憶された上記共有化対象情報でなる共有化情報を受信する共有化情報受信ステップと、
上記共有化情報受信ステップによって受信した上記共有化情報を記憶する共有化情報記憶ステップと
を実行させるための情報処理プログラム。
【請求項１４】
上記共有化対象情報送信ステップは、
上記指定手段を介して上記所望の情報が上記共有化対象に指定されると、当該共有化対象に指定された上記所望の情報を上記共有化対象情報とし、上記情報記憶装置で上記共有化対象情報を識別するための識別情報を用いて、すでに記憶している共有化対象情報を検索し、上記識別情報に対応する上記共有化対象情報をすでに記憶しているときには、当該すでに記憶している上記共有化対象情報に上記識別情報と共に受信した新たな共有化対象情報を上書きして記憶させるための上記共有化対象情報及び上記識別情報を上記ネットワークを介して上記情報記憶装置に送信する
ことを特徴とする請求項１３に記載の情報処理プログラム。
【請求項１５】
上記共有化情報の削除を指示させるための削除指示ステップと、
上記削除指示ステップにより削除の指示された上記共有化情報を上記共有化情報記憶ステップで削除した際に、当該削除した上記共有化情報を上記情報記憶装置側でも削除させるか否かの記憶装置削除設定内容を指定させるための記憶装置削除設定指定ステップと
を具え、
上記共有化対象情報送信ステップは、
上記共有化情報記憶ステップで上記共有化情報を削除した際に、上記削除設定内容により当該共有化情報を上記情報記憶装置側でも削除するように設定されていると、上記情報記憶装置ですでに記憶している共有化対象情報のうち、上記削除した上記共有化情報の上記識別情報に対応する上記共有化対象情報を削除させるために当該識別情報を削除要求と共に上記ネットワークを介して上記情報記憶装置に送信する
ことを特徴とする請求項１４に記載の情報処理プログラム。
【請求項１６】
上記情報記憶装置側で上記共有化情報が削除された際に当該共有化情報を上記共有化情報記憶ステップでも削除させるか否かの記憶手段削除設定内容を指定させるための記憶手段削除設定指定ステップ
を具え、
上記共有化情報受信ステップは、
上記他の複数の情報処理装置で上記共有化情報が削除されたことに合わせて上記情報記憶装置で当該共有化情報でなる上記共有化対象情報を削除した際に当該情報記憶装置から上記ネットワークを介して送信された上記共有化対象情報の削除を通知する削除通知を受信し、
上記共有化情報記憶ステップは、
上記共有化情報受信ステップによって上記削除通知を受信した際に、上記記憶手段削除設定内容により上記削除された上記共有化情報を上記共有化情報記憶ステップでも削除するように設定されていると、上記削除された上記共有化情報を削除する
ことを特徴とする請求項１５に記載の情報処理プログラム。
【発明の詳細な説明】
【０００１】
【発明の属する技術分野】
本発明は情報共有化システムに関し、例えばネットワークに接続されたサービスサーバを介して複数のパーソナルコンピュータで所望の共有化対象情報を共有化する情報共有化システムに適用して好適なものである。
【０００２】
【従来の技術】
従来、情報共有化システムとなる電子メールシステムは、サービスサーバとなるメールサーバが送信元の端末から送信された電子メールを受信し、当該電子メールの送信相手となるユーザの使用している複数の端末からそれぞれ電子メールの取得が要求されると、その都度受信した電子メールを送信相手となるユーザの複数の端末にそれぞれ送信することにより、当該ユーザの使用する複数の端末に同一の電子メールを受信させて共有化させている（例えば、特許文献１参照）。
【０００３】
【特許文献１】
特開２００２−２４４９７９（第９頁）
【０００４】
【発明が解決しようとする課題】
ところがかかる構成の情報共有化システムにおいては、ユーザの所有する複数の端末がメールサーバを介して取得した電子メールのように特定の情報については共有化し得るものの、例えば作成中の電子メールのメール本文は、アドレス帳等の他の情報については、共有化し難いことにより、当該他の情報をメール本文の作成や通話等の所定の処理に用いる場合には、当該所定の処理に用いる他の情報を保持している端末を複数の端末のうちから選定しなければならず、使い勝手が悪いという問題があった。
【０００５】
本発明は以上の点を考慮してなされたもので、複数の情報処理装置をあたかも一つの情報処理装置を使用しているような感覚にし、使い勝手を向上させ得る情報共有化システムを提案しようとするものである。
【０００６】
【課題を解決するための手段】
かかる課題を解決するため本発明においては、情報記憶装置にネットワークを介して複数の情報処理装置が接続されて構築された情報共有化システムにおいて、情報記憶装置は、複数の情報処理装置からネットワークを介して送信された共有化対象情報を受信する共有化対象情報受信手段と、共有化対象情報受信手段によって受信した共有化対象情報を記憶する共有化対象情報記憶手段と、共有化対象情報記憶手段に記憶した共有化対象情報を共有化情報として当該共有化対象情報の送信元となる複数の情報処理装置とは異なる他の複数の情報処理装置にネットワークを介して送信する共有化情報送信手段とを設け、情報処理装置は、各種情報を記憶する各種情報記憶手段と、各種情報記憶手段に記憶している各種情報のうち所望の情報を共有化対象に指定させるための指定手段と、指定手段を介して所望の情報が共有化対象に指定されると、当該共有化対象に指定された所望の情報を共有化対象情報として情報記憶装置にネットワークを介して送信する共有化対象情報送信手段と、情報記憶装置からネットワークを介して送信された共有化情報を受信する共有化情報受信手段と、共有化情報受信手段によって受信した共有化情報を記憶する共有化情報記憶手段とを設けるようにした。
【０００７】
従って、各情報処理装置において同じ共有対象情報を共有させることにより、ユーザがいずれの情報処理装置を使用した場合であっても同じ共有対象情報を所定の処理に用いることができる。
【０００８】
【発明の実施の形態】
以下図面について、本発明の一実施の形態を詳述する。
【０００９】
（１）情報共有化システムの全体構成
図１において、１は全体として本発明による情報共有化システムを示し、複数のパーソナルコンピュータ２Ａ及び２Ｂと、インターネットサービスプロバイダが管理運営するインターネット上のサービスサーバ３とがインターネット等のネットワーク４を介して接続されている。
【００１０】
この場合、パーソナルコンピュータ２Ａ及び２Ｂは、例えば一人のユーザにより一方が自宅で使用され、他方が会社で使用されており、サービスサーバ３を管理運営しているインターネットサービスプロバイダに対するユーザの利用登録により、それぞれサービスサーバ３をネットワーク４を介して各種提供対象情報の取得に利用し得るようになされている。
【００１１】
またパーソナルコンピュータ２Ａ及び２Ｂは、サービスサーバ３から取得した提供対象情報や、外部から取り込んだ画像データ等の各種データをそれぞれファイル化して管理しており、当該ファイル化して管理しているデータがこれらパーソナルコンピュータ２Ａ及び２Ｂ同士で共有化するように共有化対象として指定されると、その共有化対象に指定されたデータを共有化対象データとしてネットワーク４を介してサービスサーバ３へ送信する。
【００１２】
そしてサービスサーバ３は、いずれかのパーソナルコンピュータ２Ａ及び２Ｂから送信された共有化対象データを受信すると、これを各種提供対象情報を予め記憶しているハードディスクの空き容量に記憶する。
【００１３】
他のパーソナルコンピュータ２Ａ及び２Ｂは、ユーザにより予め設定された所定の時間間隔で周期的にサービスサーバ３との間で通信状態を確保し得るようになされており、当該通信状態を確保した際に共有化情報として当該サービスサーバ３からネットワーク４を介して共有化対象データをダウンロードして記憶する。
【００１４】
このようにして全てのパーソナルコンピュータ２Ａ及び２Ｂは、いずれかのパーソナルコンピュータ２Ａ及び２Ｂで共有化対象に指定されたデータを共有化対象データとしてサービスサーバ３を利用してそれぞれ記憶することにより、当該共有化対象データを共有化し得るようになされている。
【００１５】
さらにパーソナルコンピュータ２Ａ及び２Ｂは、一度、共有化対象に指定されたデータを各種処理に用いて内容を更新した場合、当該内容を更新したデータを再び共有化対象データとしてネットワーク４を介してサービスサーバ３へ送信する。
【００１６】
そしてサービスサーバ３は、いずれかのパーソナルコンピュータ２Ａ及び２Ｂから送信された内容の更新された共有化対象データを受信すると、これを内容を更新する前の共有化対象データに上書きして記憶する。
【００１７】
他のパーソナルコンピュータ２Ａ及び２Ｂは、ユーザにより予め設定された所定の時間間隔で周期的にサービスサーバ３との間で通信状態が確保することにより、このとき共有化情報として当該サービスサーバ３からネットワーク４を介して内容の更新された共有化対象データをダウンロードし、内容を更新する前の共有化対象データに上書きして記憶する。
【００１８】
このようにして全てのパーソナルコンピュータ２Ａ及び２Ｂは、いずれかのパーソナルコンピュータ２Ａ及び２Ｂで共有化対象に指定されたデータの内容が更新されても、これをサービスサーバ３を利用して共有化し得るようになされている。
【００１９】
（２）パーソナルコンピュータの回路構成
次にパーソナルコンピュータ２Ａ及び２Ｂの回路構成について説明するが、当該パーソナルコンピュータ２Ａ及び２Ｂはそれぞれ同様の回路構成を有していることにより便宜上、一方のパーソナルコンピュータ２Ａの回路構成についてのみ以下説明する。
【００２０】
図２に示すようにパーソナルコンピュータ２Ａは、ＣＰＵ（Ｃｅｎｔｒａｌ  Ｐｒｏｃｅｓｓｉｎｇ  Ｕｎｉｔ）１０にノースブリッジ１１を介してワークエリアとしてのメモリ１２と、ビデオコントローラ１３と、サウスブリッジ１４とが接続されている。
【００２１】
またサウスブリッジ１４には、モデム１５、サウンドコントローラ１６、ＵＳＢ（Ｕｎｉｖｅｒｓａｌ  Ｓｅｒｉａｌ  Ｂｕｓ）インターフェース１７、メモリスティックインターフェース１８、ブルートゥースに準拠したブルートゥースモジュール１９、ＨＤＤ（Ｈａｒｄ  Ｄｉｓｋ  Ｄｒｉｖｅ）２０が接続されている。
【００２２】
さらにサウスブリッジ１４には、ＰＣＩ（Ｐｅｒｉｐｈｅｒａｌ  Ｃｏｍｐｏｎｅｎｔ  Ｉｎｔｅｒｃｏｎｎｅｃｔ）バス２１を介してＰＣカードインターフェース２２が接続されていると共に、ＩＳＡ（Ｉｎｄｕｓｔｒｉａｌ  Ｓｔａｎｄａｒｄ  Ａｒｃｈｉｔｅｃｔｕｒｅ）バス２３を介して入力制御部２４が接続されている。
【００２３】
そしてＣＰＵ１０は、各種情報記憶手段及び共有化情報記憶手段としてのＨＤＤ（Ｈａｒｄ  Ｄｉｓｋ  Ｄｒｉｖｅ）２０のハードディスクに予め記憶しているオペレーティングシステムや共有化対象情報作成プログラム、共有化対象データ処理プログラム等の各種アプリケーションプログラムを適宜読み出してメモリ１２上で展開し、当該展開した各種アプリケーションプログラムに従って各回路部を制御することにより各種機能を実現する。
【００２４】
すなわちＣＰＵ１０は、ジョグダイヤル２７及びキーボード２８等の入力部２９を介して入力されたサービスサーバ３との通信接続要求を入力制御部２４を介して取り込むと、共有化情報受信手段としてのモデム１５をネットワーク４を介してサービスサーバ３に接続する。
【００２５】
この状態で、ＣＰＵ１０は、入力部２９を介して入力された所望の提供対象情報に対する取得命令を入力制御部２４を介して取り込むと、サービスサーバ３から所望の提供対象情報をネットワーク４を介してモデム１５に取り込み、当該提供対象情報に基づいて得られる画像データをサウスブリッジ１４、ノースブリッジ１１及びビデオコントローラ１３を順次介して液晶ディスプレイ３０に送出することにより当該液晶ディスプレイ３０に画像データに基づく画像を表示し、その提供対象情報に基づいて得られる音声データをサウンドコントローラ１６を介してスピーカ２６に送出することにより当該スピーカ２６から音声データに基づく音声を出力する。
【００２６】
またＣＰＵ１０は、ＵＳＢインターフェース１７にデジタルカメラ（図示せず）等の外部機器が接続させた状態で入力部２９を介して入力されたデータ取得命令を入力制御部２４を介して取り込むと、当該外部機器から例えばＪＰＥＧ（Ｊｏｉｎｔ  Ｐｈｏｔｏｇｒａｐｈｉｃ  Ｅｘｐｅｒｔｓ  Ｇｒｏｕｐ）等の所定の圧縮符号化方式によって圧縮符号化された画像データ等の各種データをＵＳＢインターフェース１７に取り込み、各種データに基づいて得られる画像データをサウスブリッジ１４、ノースブリッジ１１及びビデオコントローラ１３を順次介して液晶ディスプレイ３０に送出することにより当該液晶ディスプレイ３０に画像データに基づく画像を表示し、その各種データに基づいて得られる音声データをサウスブリッジ１４及びサウンドコントローラ１６を順次介してスピーカ２６に送出することにより当該スピーカ２６から音声データに基づく音声を出力する。
【００２７】
さらにＣＰＵ１０は、入力部２９を介して入力された通信命令を入力制御部２４を介して取り込むと、ブルートゥースモジュール１９を介して近傍のブルートゥース対応機器との間で無線データ通信を実行し、ブルートゥース対応機器から例えば所定の圧縮符号化方式によって圧縮符号化された画像データ等の各種データをブルートゥースモジュール１９に取り込む。
【００２８】
そしてＣＰＵ１０は、各種データに基づいて得られる画像データをサウスブリッジ１４、ノースブリッジ１１及びビデオコントローラ１３を順次介して液晶ディスプレイ３０に送出することにより当該液晶ディスプレイ３０に画像データに基づく画像を表示し、その各種データに基づいて得られる音声データをサウスブリッジ１４及びサウンドコントローラ１６を順次介してスピーカ２６に送出することによりと当該スピーカ２６から音声データに基づく音声を出力する。
【００２９】
これに加えてメモリスティックインターフェース１８には、図示しないメモリスティックストッロが接続され、当該メモリスティックストッロにメモリスティック（ソニー（株）登録商標）を挿着し得るようになされている。
【００３０】
またＰＣカードインターフェース２２には、図示しないＰＣカードスロットが接続され、当該ＰＣカードスロットにＰＣカードを挿着し得るようになされている。
【００３１】
そしてＣＰＵ１０は、メモリスティックストッロにメモリスティックが挿着され、又はＰＣカードスロットにＰＣカードが挿着された状態で、入力部２９を介して入力されたデータ取得命令を入力制御部２４を介して取り込むと、これに応じてメモリスティック又はＰＣカードから画像や音声、音楽等の各種データをメモリスティックインターフェース１８又はＰＣカードインターフェース２２に取り込み、各種データに基づいて得られる画像データをサウスブリッジ１４、ノースブリッジ１１及びビデオコントローラ１３を順次介して液晶ディスプレイ３０に送出することにより当該液晶ディスプレイ３０に画像データに基づく画像を表示し、その各種データに基づいて得られる音声データをサウスブリッジ１４及びサウンドコントローラ１６を順次介してスピーカ２６に送出することによりと当該スピーカ２６から音声データに基づく音声を出力する。
【００３２】
またＣＰＵ１０は、入力部２９を介して入力された文書データをサウスブリッジ１４、ノースブリッジ１１及びビデオコントローラ１３を順次介して液晶ディスプレイ３０に送出することにより当該液晶ディスプレイ３０に文書データに基づく文書を表示する。
【００３３】
ところでＣＰＵ１０は、これらＵＳＢインターフェース１７、メモリスティックインターフェース１８、ブルートゥースモジュール１９、ＰＣカードインターフェース２２及び入力部２９を介してそれぞれ取得した画像や音声、音楽、文書等の各種データをそれぞれデータに対する下位の管理単位となるファイルとしてＨＤＤ２０のハードディスクに記憶して管理し得るようになされている。
【００３４】
またＣＰＵ１０は、それぞれファイル化した各種データを例えばデータの種類等に応じて任意の数で区分させ、当該区分させたファイル化したデータをそれぞれファイルよりも上位の管理単位であるフォルダとして一括して管理し得るようになされている。
【００３５】
そしてＣＰＵ１０は、フォルダとして管理している各種データをファイル単位でＨＤＤ２０のハードディスクから読み出し、入力部２９を介して入力された各種処理命令に従って、当該各種データに基づいて得られる画像データや文書データ、音声データ等を再生、加工及び編集等の所定の処理に用いることにより、当該画像データや文書データ、音声データ等の内容を更新させ得るようになされている。
【００３６】
かかる構成に加えて、このパーソナルコンピュータ２Ａの場合、ＣＰＵ１０は共有化対象のデータを指定する共有化対象データ指定時、共有化対象情報作成プログラムに従って、液晶ディスプレイ３０に図３に示すようなフォルダ選択画面１００を表示する。
【００３７】
フォルダ選択画面１００には、１又は複数のファイル化されたデータを一括して管理するフォルダを表す１又は複数のフォルダ選択用アイコン１０１Ａ〜１０１Ｎと、カーソル１０２とが表示されている。
【００３８】
そしてＣＰＵ１０は、入力部２９の操作に応じてフォルダ選択画面１００上でカーソル１０２を移動させていずれかのフォルダ選択用アイコン１０１Ａ〜１０１Ｎが選択指定されると、当該選択指定されたフォルダ選択用アイコン１０１Ａ〜１０１Ｎに応じて液晶ディスプレイ３０に図４に示すようなファイル選択画面１０５を表示する。
【００３９】
このファイル選択画面１０５には、フォルダ選択画面１００で選択指定されたフォルダ選択用アイコン１０１Ａ〜１０１Ｎで特性されるフォルダにより一括管理しているファイルを表す１又は複数のファイル選択用アイコン１０６Ａ〜１０６Ｎが表示されていると共に、当該フォルダにより一括管理しているファイルの総数を示す総ファイル数表示欄１０７と、当該フォルダ内でファイルとして管理している全てのデータのうち共有化対象に指定されたデータの総数を示す共有化対象データ数表示欄１０８と、カーソル１０２とが表示されている。
【００４０】
この場合、ＣＰＵ１０は、入力部２９の操作に応じてファイル選択画面１０５上でカーソル１０２を移動させていずれかのファイル選択用アイコン１０６Ａ〜１０６Ｎが選択指示されると、その選択指示されたファイル選択用アイコン１０６Ａ〜１０６Ｎで特定されるファイルで管理しているデータを共有化対象に指定された共有化対象データとし、共有化対象データ数表示欄１０８の表示数を「１」加算して変更すると共に、当該選択指定されたファイル選択用アイコン１０６Ａ〜１０６Ｎを、他の共有化対象には選択指定されていないデータに対応するファイル選択用アイコン１０６Ａ〜１０６Ｎとは異なる表示状態にする。
【００４１】
これによりＣＰＵ１０は、ファイル選択画面１０５上で共有化対象に指定されたデータを対応するファイル選択用アイコン１０６Ａ〜１０６Ｎの表示状態によって容易に認識させ得ると共に、フォルダ内で共有化対象に指定されたデータの総数を共有化対象データ数表示欄１０８によって容易に認識させ得るようになされている。
【００４２】
そしてＣＰＵ１０は、この際、ＨＤＤ２０のハードディスクからこれに予め記憶している共有化の処理手法を定義する共有化定義情報（以下、これを共有化定義ファイルと呼ぶ）を読み出し、当該読み出した共有化定義ファイルに基づく図５に示すような共有化定義ファイル設定画面１１０をファイル選択画面１０５に重ねて表示する。
【００４３】
この共有化定義ファイル設定画面１１０には、共有化対象データを管理するファイルの名称を示すファイル名情報表示欄１１１と、当該ファイルを管理しているフォルダの名称及びそのファイルの名称を示すフォルダ格納場所情報表示欄１１２と、共有化対象データを共有化の解除に伴ってパーソナルコンピュータ２Ａで削除した際にサービスサーバ３側でも合わせてその共有化対象データを削除するか否かの設定内容を示すサーバ側削除設定情報表示欄１１３と、共有化対象データをサービスサーバ３で記憶管理するためのファイルの識別情報（以下、これをサーバファイル識別情報と呼ぶ）を示すサーバファイル識別情報表示欄１１４と、共有化対象データが共有化の解除に伴ってサービスサーバ３で削除された際にその共有化対象データをパーソナルコンピュータ２Ａでも合わせて削除するか否かの設定内容を示すＰＣ側削除設定情報表示欄１１５と、共有化対象データが共有化の解除に伴ってサービスサーバ３で上書きされた際にその共有化対象データをパーソナルコンピュータ２Ａでも合わせて上書きするか又は共有化対象データの共有化を解除してサービスサーバ３からの取得を中止するか否かの設定内容を示す上書き設定情報表示欄１１６と、共有化対象データの内容の更新日を表示する更新日表示欄１１７と、当該共有化対象データのデータ量を示すファイルサイズ表示欄１１８とが設けられている。
【００４４】
ここでＣＰＵ１０は、所望のデータが共有化対象に指定されることによりそのデータを共有化対象データとした場合、共有化定義ファイルに対して初期設定として、共有化対象データを共有化の解除に伴ってパーソナルコンピュータ２Ａで削除した際にサービスサーバ３側でも合わせて削除するように設定していると共に、共有化対象データが共有化の解除に伴ってサービスサーバ３で削除された際にその共有化対象データをパーソナルコンピュータ２Ａでも合わせて削除するように設定し（すなわち、この２つの設定は共有化対象データに対して共有化が解除されるまでは、その共有化を維持して共有化対象データを削除しないことを表している）、またサービスサーバ３から共有化対象データを共有化を取得して上書きするように設定している。
【００４５】
従ってＣＰＵ１０は、このとき共有化定義ファイル設定画面１１０において初期設定としてサーバ側削除設定情報表示欄１１３に共有化対象データを共有化の解除に伴ってパーソナルコンピュータ２Ａで削除した際にサービスサーバ３側で共有化対象データを削除することを示す「する」という文字を表示すると共に、ＰＣ側削除設定情報表示欄１１５に共有化対象データが共有化の解除に伴ってサービスサーバ３で削除された際にその共有化対象データをパーソナルコンピュータ２Ａでも共有化対象データを合わせて削除することを示す「する」という文字を表示する。
【００４６】
またＣＰＵ１０は、初期設定として、サービスサーバ３から取得する共有化対象データの共有化を解除しないことを示すものの、この場合、共有化対象データの共有化を解除しなければ、サービスサーバ３から共有化対象データを取得してＨＤＤ２０のハードディスクに上書き保存することにより共有化定義ファイル設定画面１１０において上書き設定情報表示欄１１６に上書きすることを示す（すなわち共有化を解除しないことを示す）「する」という文字を表示する。
【００４７】
さらにＣＰＵ１０は、共有化定義ファイル設定画面１１０においてファイル名情報表示欄１１１に共有化対象に指定されて共有化対象データとしたデータを管理しているファイルの名称を表示すると共に、フォルダ格納場所情報表示欄１１２にそのファイルを格納しているフォルダの名称及び当該ファイルの名称を表示し、さらに更新日表示欄１１７及びファイルサイズ表示欄１１８に共有化対象に指定されて共有化対象データとしたデータに対する最新の内容の更新日（但し、この場合のように所望のデータを共有化対象に指定したときには、その指定日を更新日とする）及びデータ量を表示する。
【００４８】
そしてＣＰＵ１０は、ファイル名情報表示欄１１１、フォルダ格納場所情報表示欄１１２、サーバ側削除設定情報表示欄１１３、ＰＣ側削除設定情報表示欄１１５、上書き設定情報表示欄１１６、更新日表示欄１１７及びファイルサイズ表示欄１１８にそれぞれ設定内容を表示すると、サービスサーバ３固有のアドレスと、ユーザに割り当てられているパスワード等の個人識別情報とを有する通信接続要求データを生成し、当該通信接続要求データを用いてサービスサーバ３との間の通信状態を確保する。
【００４９】
この状態においてＣＰＵ１０は、サービスサーバ３に共有化対象データを記憶管理するためのサービスサーバ３側のファイルのサーバファイル識別情報を要求するサーバファイル識別情報要求データを生成し、これをサービスサーバ３へ送信することにより、サービスサーバ３から共有化対象データを記憶管理するためのファイルのサーバファイル識別情報が発行されて送信されるとこれを受信する。
【００５０】
これによりＣＰＵ１０は、サービスサーバ３から受信したサーバファイル識別情報を、図６に示すように、共有化定義ファイル設定画面１１０においてサーバファイル識別情報表示欄１１４に表示して共有化定義ファイルを完成させ、これらファイル名情報表示欄１１１、フォルダ格納場所情報表示欄１１２、サーバ側削除設定情報表示欄１１３、サーバファイル識別情報表示欄１１４、ＰＣ側削除設定情報表示欄１１５、上書き設定情報表示欄１１６、更新日表示欄１１７及びファイルサイズ表示欄１１８で表示した情報を格納した共有化定義ファイルをＨＤＤ２０のハードディスクに、その際に指定された共有化対象データと対応付けて記憶する。
【００５１】
そしてＣＰＵ１０は、共有化定義ファイルが完成すると、当該共有化定義ファイルに格納した各種情報のうち、ファイルの名称でなるファイル名情報、共有化対象データの更新日の情報でなる更新日情報及び当該共有化対象データのデータ量の情報でなるファイルサイズ情報を参照情報としてこれと、サーバファイル識別情報とを共有化対象データと共に、ネットワーク４を介してサービスサーバ３へアップロードすることにより、当該サービスサーバ３にこれら参照情報及びサーバファイル識別情報並びに共有化対象データを記憶させる。
【００５２】
因みにサービスサーバ３（図１）は、このときパーソナルコンピュータ２Ａから受信した参照情報及びサーバファイル識別情報並びに共有化対象データを対応付け、当該参照情報及び共有化対象データをサーバファイル識別情報で特定するファイルとして管理し得るようになされている。
【００５３】
ところでＣＰＵ１０は、ユーザによって予め設定された所定の時間が経過すると、サービスサーバ３固有のアドレス及び個人識別情報を有する通信接続要求データを生成し、当該通信接続要求データを用いてサービスサーバ３との間の通信状態を確保する。
【００５４】
この状態においてＣＰＵ１０は、サービスサーバ３に記憶している参照情報を要求する参照情報要求データを生成し、当該参照情報要求データをネットワーク４を介してサービスサーバ３へ送信することにより、サービスサーバ３から返信される全ての参照情報を受信する。
【００５５】
因みにＣＰＵ１０は、サービスサーバ３から、新規に記憶した共有化対象データの参照情報については対応するサーバファイル識別情報も合わせて送信されることによりこれを受信する。
【００５６】
ＣＰＵ１０は、サービスサーバ３から取得した参照情報をＨＤＤ２０のハードディスクに記憶している全ての共有化定義ファイルに格納している参照情報とそれぞれ比較する。
【００５７】
この結果、ＣＰＵ１０は、このときサービスサーバ３に新規に記憶された共有化対象データの参照情報が、ＨＤＤ２０のハードディスクにすでに記憶している共有化定義ファイルに格納されてはいないことにより、当該ＨＤＤ２０のハードディスクから新規作成用の共有化定義ファイルを読み出す。
【００５８】
この場合、かかる新規作成用の共有化定義ファイルは、サービスサーバ３に新規に記憶された共有化対象データをパーソナルコンピュータ２Ａに取り込んだ際に管理する予め設定されたフォルダの名称のみがファイル格納場所の情報として格納されている。
【００５９】
ここで新規作成用の共有化定義ファイルは、初期設定として、パーソナルコンピュータ２Ａで共有化の解除に伴って削除した共有化対象データをサービスサーバ３側でも合わせて削除するように設定されていることを示すサーバ側削除設定情報と、サービスサーバ３で共有化の解除に伴って削除された共有化対象データをパーソナルコンピュータ２Ａでも合わせて削除するように設定されていることを示すＰＣ側削除設定情報と、サービスサーバ３で上書きされた共有化対象データをパーソナルコンピュータ２Ａでも合わせて上書きするように設定されていることを示す上書き設定情報とがすでに格納されている。
【００６０】
そしてＣＰＵ１０は、新規作成用の共有化定義ファイルにサービスサーバ３から取得した参照情報及びサーバファイル識別情報を格納すると共に、ファイル格納場所情報に当該サービスサーバ３から取得した参照情報のファイル名情報を追加することにより共有化定義ファイルを完成させる。
【００６１】
またＣＰＵ１０は、このようにして共有化定義ファイルが完成すると、当該共有化定義ファイルに格納した各種情報のうち、サーバファイル識別情報をネットワーク４を介してサービスサーバ３へ送信することにより、当該サービスサーバ３からサーバファイル識別情報で特定されるファイルで管理されている共有化対象データ（すなわち、新規に記憶した共有化対象データ）をダウンロードする。
【００６２】
これによりＣＰＵ１０は、サービスサーバ３からネットワーク４を介してダウンロードした共有化対象データを、そのダウンロードに合わせて新規に作成した共有化定義ファイルに対応付けてＨＤＤ２０のハードディスクに記憶する。
【００６３】
このようにしてパーソナルコンピュータ２Ａは、所望のデータが共有化対象に指定されると、これを共有化対象データとしてサービスサーバ３を介して他のパーソナルコンピュータ２Ｂに提供して共有化すると共に、他のパーソナルコンピュータ２Ｂで共有化対象として指定されたデータを共有化情報としての共有化対象データとしてサービスサーバ３を介して取得し共有化し得るようになされている。
【００６４】
ところでＣＰＵ１０は、入力部２９を介して与えられた各種処理命令に従って、共有化対象データを再生、加工及び編集等の所定の処理に用いることにより、当該共有化対象データの内容を更新した場合、当該内容を更新した共有化対象データに対応する共有化定義ファイルに対して更新日情報の内容と、ファイルサイズ情報の内容とを共有化対象データの内容の更新に合わせて変更する。
【００６５】
そしてＣＰＵ１０は、共有化対象データの内容及び共有化定義ファイルを更新すると、当該共有化定義ファイルに格納している各種情報のうちファイル名情報と、内容を変更した更新日情報及びファイルサイズ情報とからなる参照情報及びサーバファイル識別情報を、内容を更新した共有化対象データと共にネットワーク４を介してサービスサーバ３へアップロードすることにより、当該サービスサーバ３にこれら参照情報及びサーバファイル識別情報並びに内容を更新した共有化対象データを記憶させる。
【００６６】
因みにサービスサーバ３（図１）は、このとき受信した新たな参照情報及び内容が更新された共有化対象データを、同様に受信したサーバファイル識別情報で特定するファイルですでに管理している参照情報及び共有化対象データに上書きするようになされている。
【００６７】
ところでＣＰＵ１０は、ユーザによって予め設定された所定の時間が経過すると、サービスサーバ３固有のアドレス及び個人識別情報を有する通信接続要求データを生成し、当該通信接続要求データを用いてサービスサーバ３との間の通信状態を確保する。
【００６８】
この状態においてＣＰＵ１０は、サービスサーバ３に記憶している参照情報を要求する参照情報要求データを生成し、当該参照情報要求データをネットワーク４を介してサービスサーバ３へ送信することにより、サービスサーバ３から返信される全ての参照情報を受信する。
【００６９】
ＣＰＵ１０は、サービスサーバ３から取得した参照情報を、ＨＤＤ２０のハードディスクに記憶している全ての共有化定義ファイルに格納している参照情報とそれぞれ比較する。
【００７０】
その結果、ＣＰＵ１０は、このときサービスサーバ３に記憶された共有化対象データの参照情報がＨＤＤ２０のハードディスクにすでに記憶している共有化定義ファイルに格納されていることにより、これら共有化定義ファイルのうちサービスサーバ３から取得した参照情報に含まれるファイル名情報と一致するファイル名情報を格納し、かつ当該参照情報に含まれる更新日情報及びファイルサイズ情報の少なくとも一方と異なる更新日情報及びファイルサイズ情報を格納している共有化定義ファイルを内容の更新された共有化対象データに対応するものとして選定し、当該選定した共有化定義ファイルに格納されている更新日情報及びファイルサイズ情報に参照情報に含まれる更新日情報及びファイルサイズ情報を上書きする。
【００７１】
そしてＣＰＵ１０は、共有化定義ファイルに格納している更新日情報及びファイルサイズ情報を上書きして更新すると、当該共有化定義ファイルに格納している各種情報のうちサーバファイル識別情報をネットワーク４を介してサービスサーバ３へ送信することにより、当該サービスサーバ３でサーバファイル識別情報で特定されるファイルで管理されている内容の更新された共有化対象データをダウンロードする。
【００７２】
これによりＣＰＵ１０は、サービスサーバ３からネットワーク４を介してダウンロードした共有化情報としての内容の更新された共有化対象データを対応する共有化定義ファイルと共にＨＤＤ２０に送出することによりハードディスクにおいて更新前の共有化対象データを共有化定義ファイルに上書きする。
【００７３】
このようにしてパーソナルコンピュータ２Ａは、共有化対象データの内容を更新した場合、これをサービスサーバ３を介して他のパーソナルコンピュータ２Ｂに提供して内容を更新する前のものに上書きさせると共に、他のパーソナルコンピュータ２Ｂで内容が更新された共有化対象データをサービスサーバ３を介して取得して内容を更新する前のものに上書きすることにより、共有化対象データの内容が更新されても、これに迅速に対応して、当該内容が更新された共有化対象データを共有化し得るようになされている。
【００７４】
ここでＣＰＵ１０は、一旦、共有化した共有化対象データに対応する共有化定義ファイルに入力部２９を介して入力される変更要求に応じて、ＨＤＤ２０のハードディスクから読み出して、図６について上述した共有化定義ファイル設定画面１１０として液晶ディスプレイ３０に表示することによりサーバ側削除設定情報と、ＰＣ側削除設定情報と、上書き設定情報との設定内容をそれぞれ任意に設定し直させることができる。
【００７５】
すなわちＣＰＵ１０は、入力部２９の操作に応じて共有化定義ファイル設定画面１１０上でサーバ側削除設定情報表示欄１１３が選択され、この状態で入力部２９を介して、共有化対象データを共有化の解除に伴ってパーソナルコンピュータ２Ａで削除した際にサービスサーバ３側では共有化対象データを削除しないように設定されると、当該サーバ側削除設定情報表示欄１１３にその設定内容を示す「しない」という文字を表示して共有化定義ファイルのサーバ側削除設定情報の設定内容を変更する。
【００７６】
またＣＰＵ１０は、入力部２９の操作に応じて共有化定義ファイル設定画面１１０上でＰＣ側削除設定情報表示欄１１５が選択され、この状態で入力部２９を介して共有化対象データが共有化の解除に伴ってサービスサーバ３で削除された際にその共有化対象データをパーソナルコンピュータ２Ａ側では削除しないように設定されると、当該ＰＣ側削除設定情報表示欄１１５にその設定内容を示す「しない」という文字を表示して共有化定義ファイルのＰＣ側削除設定情報の設定内容を変更する。
【００７７】
さらにＣＰＵ１０は、入力部２９の操作に応じて共有化定義ファイル設定画面１１０上で上書き設定情報表示欄１１６が選択され、この状態で入力部２９を介して共有化対象データの共有化を解除してサービスサーバ３からの取得を中止するように設定されると、当該上書き設定情報表示欄１１６にその設定内容を示す「しない」という文字を表示して共有化定義ファイルの上書き設定情報の設定内容を変更する。
【００７８】
因みにＣＰＵ１０は、このように共有化定義ファイルのサーバ側削除設定情報と、ＰＣ側削除設定情報と、上書き設定情報との設定内容を変更しても同様に共有化定義ファイル設定画面１１０上で初期設定に戻すことができる。
【００７９】
そしてＣＰＵ１０は、入力部２９を介して例えば図４について上述したファイル選択画面１０５上で任意のファイル選択用アイコン１０６Ａ〜１０６Ｎが、対応する共有化対象データの削除用に選択指定されると、その選択指定されたファイル選択用アイコン１０６Ａ〜１０６Ｎに対応する共有化対象データを削除対象にし、この状態で入力部２９を介して削除命令が入力されると、当該削除対象の共有化対象データを削除することができ、かくして共有化対象データの削除に伴い、その共有化対象データの共有化を解除する。
【００８０】
このようにしてＣＰＵ１０は、共有化対象データを削除して共有化を解除すると、当該共有化対象データに対応するサーバ側削除設定情報と、ＰＣ側削除設定情報と、上書き設定情報とに従って、以下に示す処理を実行する。
【００８１】
すなわちＣＰＵ１０は、共有化対象データを削除した場合、この共有化対象データに対応付けている共有化定義ファイルに格納したサーバ側削除設定情報により共有化対象データを共有化の解除に伴ってパーソナルコンピュータ２Ａで削除した際にサービスサーバ３側でも合わせて削除するように設定していると、サーバファイル識別情報をサービスサーバ３でもその共有化対象データを削除させるための削除要求データと共にネットワーク４を介してサービスサーバ３へ送信することにより、当該サービスサーバ３でその参照情報及びサーバファイル識別情報で特定されるファイルで管理している共有化対象データを削除させる。
【００８２】
これに対してＣＰＵ１０は、共有化対象データを削除した場合、この共有化対象データに対応付けている共有化定義ファイルに格納したサーバ側削除設定情報により共有化対象データを共有化の解除に伴ってパーソナルコンピュータ２Ａで削除した際にサービスサーバ３側ではその共有化対象データを削除しないように設定されてると、サービスサーバ３には共有化対象データを削除したことを何ら通知しないことにより、当該サービスサーバ３ではその共有化対象データを、対応する参照情報及びサーバファイル識別情報と共にそのまま保存させる。
【００８３】
因みに他のパーソナルコンピュータ２Ｂは、このときサービスサーバ３から何ら通知されないことにより、パーソナルコンピュータ２Ａで削除した共有化対象データをそのまま保存する。
【００８４】
因みにサービスサーバ３（図１）では、パーソナルコンピュータ２Ａ及び２Ｂから受信した削除要求データに基づいて、サーバファイル識別情報で特定するファイルで管理している参照情報及び共有化対象データを削除するようになされている。
【００８５】
そしてＣＰＵ１０は、ユーザによって予め設定された所定の時間が経過すると、サービスサーバ３固有のアドレス及び個人識別情報を有する通信接続要求データを生成し、当該通信接続要求データを用いてサービスサーバ３との間の通信状態を確保する。
【００８６】
この状態においてＣＰＵ１０は、サービスサーバ３に記憶している参照情報を要求する参照情報要求データを生成し、当該参照情報要求データをネットワーク４を介してサービスサーバ３へ送信することにより、サービスサーバ３から返信される全ての参照情報を受信する。
【００８７】
ＣＰＵ１０は、サービスサーバ３から取得した参照情報をＨＤＤ２０のハードディスクに記憶している全ての共有化定義ファイルに格納している参照情報とそれぞれ比較する。
【００８８】
その結果、ＣＰＵ１０は、このとき全ての共有化定義ファイルのうちサービスサーバ３から取得した参照情報とは異なる参照情報を格納している共有化定義ファイルを、当該サービスサーバ３において削除された共有化対象データに対応するものとして選定する。
【００８９】
そしてＣＰＵ１０は、その際、選定した共有化定義ファイルに格納しているＰＣ側削除設定情報により共有化対象データが共有化の解除に伴ってサービスサーバ３で削除された際にその共有化対象データをパーソナルコンピュータ２Ａでも合わせて削除するように設定していると、当該選定した共有化定義ファイルに対応付けられている共有化対象データをＨＤＤ２０のハードディスクから削除する。
【００９０】
これに対してＣＰＵ１０は、サービスサーバ３において削除された共有化対象データに対応する共有化定義ファイルを選定した場合、当該選定した共有化定義ファイルに格納しているＰＣ側削除設定情報により共有化対象データが共有化の解除に伴ってサービスサーバ３で削除された際にその共有化対象データをパーソナルコンピュータ２Ａでは削除しないように設定していると、その選定した共有化定義ファイルを対応する共有化対象データと共にＨＤＤ２０のハードディスクにそのまま保存する。
【００９１】
またＣＰＵ１０は、サービスサーバ３から送信された共有化情報としての共有化対象データを受信した際に、当該サービスサーバ３で上書きされた共有化対象データに対応する共有化定義ファイルに格納した上書き設定情報により、サービスサーバ３で上書きされた際にその共有化対象データをパーソナルコンピュータ２Ａでも合わせて上書きするように設定されていると、上述したようにサービスサーバ３から共有化情報として上書きされた共有化対象データを取得する。
【００９２】
これに対してＣＰＵ１０は、サービスサーバ３から送信された共有化対象データを受信した際に、当該サービスサーバ３で上書きされた共有化対象データに対応する共有化定義ファイルに格納した上書き設定情報により、共有化対象データの共有化が解除してサービスサーバ３からの取得を中止するように設定されていると、サービスサーバ３へ何ら通知しないことにより、当該サービスサーバ３からの上書きされた共有化対象データの取得を中止して、パーソナルコンピュータ２Ａ側で上書きしないようにすることにより一方的に共有化を解除する。
【００９３】
そしてパーソナルコンピュータ２Ａ及び２Ｂは、共有化対象データに対応する共有化定義ファイルに対してサーバ側削除設定情報と、ＰＣ側削除設定情報と、上書き設定情報とをそれぞれ個別に設定し、一度、所望のデータを共有化対象に指定して共有化対象データとし、当該パーソナルコンピュータ２Ａ及び２Ｂで共有化しても、その共有化対象データに対する共有化を個別のパーソナルコンピュータ２Ａ及び２Ｂで解除し得ると共に、その解除に伴う処理をそれぞれサーバ側削除設定情報と、ＰＣ側削除設定情報と、上書き設定情報とに従って個別に実行することにより当該共有化を解除した共有化対象データをサービスサーバ３及びパーソナルコンピュータ２Ａ及び２Ｂの全てで削除したり、パーソナルコンピュータ２Ａ又は２Ｂのいずれか一方のみ、又は、サービスサーバ３でのみ当該共有化対象データをそのまま保存させることもできる。
【００９４】
またＣＰＵ１０は、共有化対象データを削除した場合でも、過去に削除した共有化対象データに対応する共有化定義ファイルを一括して保管し、参照可能なようにすることにより、共有化定義ファイルに格納しているサーバファイル識別情報を用いてサービスサーバ３や、当該サービスサーバ３を介して他のパーソナルコンピュータ２Ｂで削除しないで残している共有化対象データを再び取得できるようになされている。
【００９５】
なお、この実施の形態の場合、ＣＰＵ１０は、入力部２９の操作に応じて、共有化対象データを管理しているファイルを、当該ファイルを更に管理しているフォルダから他のフォルダに管理を移行させることができ、この場合は図４について上述した総ファイル数表示欄１０７及び共有化対象データ数表示欄１０８の表示内容を自動で変更する。
【００９６】
これによりＣＰＵ１０は、例えば１又は複数のフォルダで共有化対象データを管理している１又は複数のファイルのみを一括して管理し、又は共有化対象データを管理している個々のファイルを異なるフォルダで管理することができ、かくして特定のフォルダで共有化対象データを一括して容易に確認させたり、或いは任意のフォルダで所望のデータに共有化対象データを関連付けて管理させることができる。
【００９７】
（３）サービスサーバの回路構成
次にサービスサーバ３について図７を用いて以下説明する。実際上、サービスサーバ３においては、当該サービスサーバ３における各種機能を統括的に制御するＣＰＵ４０にバス４１を介してＨＤＤ４２、ＲＡＭ（Ｒａｎｄａｍ  Ａｃｃｅｓｓ  Ｍｅｍｏｒｙ）４３及び共有化対象情報受信手段としてのネットワークインターフェース４４が接続された構成を有する。
【００９８】
ＣＰＵ４０は、ＨＤＤ４２に格納されたオペレーティングシステムや新着処理プログラム等をＲＡＭ４３に適宜読み出し各種機能を実行する。
【００９９】
実際上、ＣＰＵ４０は、いずれかのパーソナルコンピュータ２Ａ及び２Ｂからサーバファイル識別情報要求データをネットワークインターフェース４４を介して受信すると、ＨＤＤ４２の空き容量に共有化対象データを記憶管理するためのファイルのサーバファイル識別情報を発行し、これを当該パーソナルコンピュータ２Ａ及び２Ｂへ送信する。
【０１００】
ＣＰＵ４０は、サーバファイル識別情報を送信したいずれかのパーソナルコンピュータ２Ａ及び２Ｂから参照情報及びサーバ削除設定情報並びに共有化対象データとをネットワークインターフェイス４４を介して受信すると、当該参照情報及びサーバ削除設定情報並びに共有化対象データを対応付け、当該参照情報及び共有化対象データをサーバ削除設定情報で特定するファイルとして管理し得るようになされている。
【０１０１】
またＣＰＵ４０は、他のパーソナルコンピュータ２Ａ及び２Ｂから参照情報要求データをネットワークインターフェイス４４を介して受信すると、これに応じてＨＤＤ２０のハードディスクに記憶している全ての参照情報を他のパーソナルコンピュータ２Ａ及び２Ｂへネットワークインターフェイス４４を介して送信する。
【０１０２】
このときＣＰＵ４０は、ＨＤＤ２０のハードディスクに新規に記憶した共有化対象データの参照情報については、対応するサーバファイル識別情報も合わせて他のパーソナルコンピュータ２Ａ及び２Ｂへ送信する。
【０１０３】
ＣＰＵ４０は、他のパーソナルコンピュータ２Ａ及び２Ｂからサーバファイル識別情報をネットワークインターフェイス４４を介して受信すると、これに応じて当該サーバファイル識別情報で特定されるファイルで管理されている共有化対象データを他のパーソナルコンピュータ２Ａ及び２Ｂへネットワークインターフェイス４４を介して送信する。
【０１０４】
このようにしてサービスサーバ３は、いずれかのパーソナルコンピュータ２Ａ及び２Ｂから受信した共有化対象データをサーバファイル識別情報で特定されるファイルで管理し、他のパーソナルコンピュータ２Ａ及び２Ｂから受信したサーバファイル識別情報に応じて、共有化情報としての対応する共有化対象データを当該他のパーソナルコンピュータ２Ａ及び２Ｂへ送信することにより記憶させ、かくして共有化対象データをパーソナルコンピュータ２Ａ及び２Ｂで共有化させ得るようになされている。
【０１０５】
またＣＰＵ４０は、いずれかのパーソナルコンピュータ２Ａ及び２Ｂからネットワークインターフェイス４４を介して新たな参照情報及び内容が更新された共有化対象データと、サーバファイル識別情報とを受信すると、当該サーバファイル識別情報で特定するファイルですでに管理している参照情報及び共有化対象データに上書きするようになされている。
【０１０６】
ＣＰＵ４０は、他のパーソナルコンピュータ２Ａ及び２Ｂから参照情報要求データを受信すると、ＨＤＤ４２のハードディスクに記憶されている全ての参照情報をネットワークインターフェイス４４を介して他のパーソナルコンピュータ２Ａ及び２Ｂへ送信する。
【０１０７】
そしてＣＰＵ４０は、これに応じて他のパーソナルコンピュータ２Ａ及び２Ｂからサーバファイル識別情報をネットワークインターフェイス４４を介して受信すると、これに応じてサーバファイル識別情報のファイルで管理されている内容の更新された共有化情報としての共有化対象データをネットワークインターフェイス４４を介して他のパーソナルコンピュータ２Ａ及び２Ｂへ送信する。
【０１０８】
さらにＣＰＵ４０は、いずれかのパーソナルコンピュータ２Ａ及び２Ｂからサーバファイル識別情報を削除要求データと共にネットワークインターフェイス４４を介して受信すると、すでにサーバファイル識別情報のファイルで管理されている共有化対象データをハードディスクから削除する。
【０１０９】
（４）情報共有化システムにおける共有化処理
ここで、新たに共有化対象に指定されたデータをサービスサーバ３を利用してパーソナルコンピュータ２Ａ及び２Ｂで共有化を図る共有化処理手順についてまとめると、図８に示すように、ステップＳＰ１においてパーソナルコンピュータ２ＡのＣＰＵ１０は、ファイル名情報表示欄１１１、フォルダ格納場所情報表示欄１１２、サーバ側削除設定情報表示欄１１３、ＰＣ側削除設定情報表示欄１１５、上書き設定情報表示欄１１６、更新日表示欄１１７及びファイルサイズ表示欄１１８にそれぞれ設定内容を表示させる。
【０１１０】
ステップＳＰ２においてパーソナルコンピュータ２ＡのＣＰＵ１０は、これに応じてサーバファイル識別情報要求データを送信する。
【０１１１】
ステップＳＰ３においてサービスサーバ３のＣＰＵ４０は、サーバファイル識別情報を発行し、これをパーソナルコンピュータ２Ａへ送信する。
【０１１２】
ステップＳＰ４においてパーソナルコンピュータ２ＡのＣＰＵ１０は、共有化定義ファイルを完成させ、各種情報が格納された共有化定義ファイルを、指定された共有化対象データと対応付けて記憶する。
【０１１３】
これに応じてパーソナルコンピュータ２ＡのＣＰＵ１０は、共有化定義ファイルに格納した各種情報のうち参照情報及びサーバファイル識別情報を共有化対象データと共にサービスサーバ３へアップロードする。
【０１１４】
ステップＳＰ５においてサービスサーバ３のＣＰＵ４０は、参照情報とサーバファイル識別情報と共有化対象データとを対応付けて記憶し、参照情報及び共有化対象データをサーバファイル識別情報で特定するファイルで管理する。
【０１１５】
ステップＳＰ６において他のパーソナルコンピュータ２ＢのＣＰＵ１０は、ユーザにより予め設定された所定の時間が経過すると通信接続要求データを生成してサービスサーバ３との間で通信状態を確保する。
【０１１６】
この状態で他のパーソナルコンピュータ２ＢのＣＰＵ１０は、参照情報要求データをサービスサーバ３に送信し、これに応じてサービスサーバ３から参照情報とサーバファイル識別情報とが送信され、これらを受信する。
【０１１７】
因みにサービスサーバ３は、この際、新規に記憶した共有化対象データであることから、参照情報と共にサーバファイル識別情報も送信する。
【０１１８】
そして他のパーソナルコンピュータ２ＢのＣＰＵ１０は、サービスサーバ３から取得した参照情報及びサーバファイル識別情報に基づいて、ＨＤＤ２０のハードディスクから読み出した新規作成用の共有化定義ファイルを完成させる。
【０１１９】
これにより他のパーソナルコンピュータ２ＢのＣＰＵ１０は、共有化定義ファイルに格納した各種情報のうち、サーバファイル識別情報をサービスサーバ３へ送信する
【０１２０】
ステップＳＰ７において他のパーソナルコンピュータ２ＢのＣＰＵ１０は、サービスサーバ３でサーバファイル識別情報に対応付けられた共有化対象データをダウンロードすることにより取得する。
【０１２１】
このようにして情報共有化システム１においては、パーソナルコンピュータ２Ａで共有化対象として指定したデータをアップロードさせることによりサービスサーバ３で記憶させると共に、共有化対象として指定したデータをパーソナルコンピュータ２Ｂにおいてダウンロードさせることにより取得させ、サービスサーバ３を利用して当該パーソナルコンピュータ２Ａ及び２Ｂの間で共有化対象データの共有化が図られるようになされている。
【０１２２】
次に、共有化対象に指定されたデータが更新又は削除されたときについて、共有化定義ファイルに格納されるサーバ側削除設定情報、ＰＣ側削除設定情報及び上書き設定情報に応じた共有化処理手順についてまとめると、図９に示すようにステップＳＰ１０においてパーソナルコンピュータ２ＡのＣＰＵ１０は、液晶ディスプレイ３０に表示された共有化定義ファイル設定画面１１０のサーバ側削除設定情報表示欄１１３、ＰＣ側削除設定情報表示欄１１５及び上書き設定情報表示欄１１６の設定内容が初期設定から任意の設定内容に変更されると、当該設定内容に応じてサーバ側削除設定情報、ＰＣ側削除設定情報及び上書き設定情報を初期設定の情報から任意の設定情報に変更し、これらを共有化定義ファイルに格納して次のステップＳＰ１１へ移る。
【０１２３】
ステップＳＰ１１においてパーソナルコンピュータ２ＡのＣＰＵ１０は、共有化対象データを再生、加工及び編集等の所定の処理に用いたことにより更新されたか、或いは共有化対象データが削除されると、次のステップＳＰ１２へ移る。
【０１２４】
ステップＳＰ１２においてパーソナルコンピュータ２ＡのＣＰＵ１０は、共有化対象データの内容が更新されると、共有化定義ファイルに格納した各種情報のうち、参照情報とサーバファイル識別情報とを、内容が更新された共有化対象データと共にサービスサーバ３へアップロードする。
【０１２５】
これに対してパーソナルコンピュータ２ＡのＣＰＵ１０は、共有化対象データを削除した場合、この共有化対象データに対応付けている共有化定義ファイルに格納したサーバ側削除設定情報により共有化対象データの共有化の解除に伴ってパーソナルコンピュータ２Ａで削除した際にサービスサーバ３側でも合わせて削除するように設定していると、サーバファイル識別情報を削除要求データと共にサービスサーバ３へ送信する。
【０１２６】
これらに応じてサービスサーバ３のＣＰＵ４０は、図１０に示すようなサブルーチンＳＲＴ１の開始ステップから新着処理手順に入って次のステップＳＰ２０に移る。
【０１２７】
ステップＳＰ２０においてサービスサーバ３のＣＰＵ４０は、パーソナルコンピュータ２Ａから受信したサーバファイル識別情報を確認し、次のステップＳＰ２１へ移る。
【０１２８】
ステップＳＰ２１においてサービスサーバ３のＣＰＵ４０は、パーソナルコンピュータ２Ａからサーバファイル識別情報と共に受信したデータが共有化対象データであるか否かを判断する。
【０１２９】
ここで肯定結果が得られると、このことはパーソナルコンピュータ２Ａからサーバファイル識別情報と共に受信したデータが共有化対象データであることを表しており、このときサービスサーバ３のＣＰＵ４０は、次のステップＳＰ２２へ移る。
【０１３０】
ステップＳＰ２２においてサービスサーバ３のＣＰＵ４０は、パーソナルコンピュータ２Ａから受信した新たな参照情報及び内容が更新された共有化対象データを、サーバファイル識別情報で特定するファイルで管理している参照情報及び共有化対象データに上書きして記憶し、次のステップＳＰ２４へ移って新着処理手順を終了する。
【０１３１】
これに対してステップＳＰ２１で否定結果が得られると、このことはパーソナルコンピュータ２Ａからサーバファイル識別情報と共に受信したデータが共有化対象データでなく、削除要求データであることを表しており、このときサービスサーバ３のＣＰＵ４０は、次のステップＳＰ２３へ移る。
【０１３２】
ステップＳＰ２３においてサービスサーバ３のＣＰＵ４０は、サーバファイル識別情報で特定するファイルですでに管理している参照情報及び共有化対象データを削除し、次のステップＳＰ２４へ移って新着処理手順を終了する。
【０１３３】
図９に示したように、ステップＳＰ１３においてパーソナルコンピュータ２ＢのＣＰＵ１０は、ユーザによって予め設定された所定の時間が経過すると通信接続要求データを生成してサービスサーバ３との間で通信状態を確保し、これに応じて参照情報要求データを送信する。
【０１３４】
ステップＳＰ１４においてサービスサーバ３のＣＰＵ４０は、ＨＤＤ４２のハードディスクに記憶されている全ての参照情報を送信する。
【０１３５】
これによりパーソナルコンピュータ２ＢのＣＰＵ１０は、サービスサーバ３から参照情報を全て受信すると、図１１に示すようにサブルーチンＳＲＴ２の開始ステップから共有化対象データ処理手順に入って次のステップＳＰ４０に移る。
【０１３６】
ステップＳＰ４０においてパーソナルコンピュータ２ＢのＣＰＵ１０は、任意の共有化定義ファイルを選択し、次のステップＳＰ４１へ移る。
【０１３７】
ステップＳＰ４１においてにおいてパーソナルコンピュータ２ＢのＣＰＵ１０は、サービスサーバ３から取得した参照情報のうち、ステップＳＰ４０で選択した共有化定義ファイルに格納されているファイル名情報と一致するファイル名情報が含まれる参照情報が存在するか否かを判断する。
【０１３８】
ここで否定結果が得られると、このことはステップＳＰ４０で選択した共有化定義ファイルに格納されているファイル名情報と一致するファイル名情報が含まれる参照情報をサービスサーバ３から受信していないこと、すなわちサービスサーバ３で共有化対象データが削除されたことを表しており、このときパーソナルコンピュータ２ＢのＣＰＵ１０は、次のステップＳＰ４２へ移る。
【０１３９】
ステップＳＰ４２においてパーソナルコンピュータ２ＢのＣＰＵ１０は、ステップＳＰ４０で選択した共有化定義ファイルに格納しているＰＣ側削除設定情報により共有化対象データが共有化の解除に伴ってサービスサーバ３で削除された際にその共有化対象データをパーソナルコンピュータ２Ｂでも合わせて削除するように設定されているか否かを判断する。
【０１４０】
ここで肯定結果が得られると、このことはステップＳＰ４０で選択した共有化定義ファイルに格納しているＰＣ側削除設定情報により共有化対象データが共有化の解除に伴ってサービスサーバ３で削除された際にその共有化対象データをパーソナルコンピュータ２Ｂでも合わせて削除するように設定されていることを表しており、このときパーソナルコンピュータ２ＢのＣＰＵ１０は、次のステップＳＰ４３ヘ移る。
【０１４１】
ステップＳＰ４３においてパーソナルコンピュータ２ＢのＣＰＵ１０は、ステップＳＰ４０で選択した共有化定義ファイルに対応付けられた共有化対象データを削除し、次のステップＳＰ５１へ移る。
【０１４２】
これに対してステップＳＰ４２で否定結果が得られると、このことはステップＳＰ４０で選択した共有化定義ファイルに格納しているＰＣ側削除設定情報により共有化対象データが共有化の解除に伴ってサービスサーバ３で削除された際にその共有化対象データをパーソナルコンピュータ２Ｂでは削除しないように設定されていることを表しており、このときパーソナルコンピュータ２ＢのＣＰＵ１０は、次のステップＳＰ４４ヘ移る。
【０１４３】
ステップＳＰ４４においてパーソナルコンピュータ２ＢのＣＰＵ１０は、ステップＳＰ４０で選択した共有化定義ファイルと、当該共有化定義ファイルに対応付けられた共有化対象データとをＨＤＤ２０のハードディスクにそのまま保存し、次のステップＳＰ５１へ移る。
【０１４４】
一方、ステップＳＰ４１で肯定結果が得られると、このことはステップＳＰ４０で選択した共有化定義ファイルに格納されているファイル名情報と一致するファイル名情報が含まれる参照情報をサービスサーバ３から受信していること、すなわちサービスサーバ３で共有化対象データが削除さていないことを表しており、このときパーソナルコンピュータ２ＢのＣＰＵ１０は、次のステップＳＰ４５へ移る。
【０１４５】
ステップＳＰ４５においてパーソナルコンピュータ２ＢのＣＰＵ１０は、共有化定義ファイルに格納されているファイル名情報と一致するファイル名情報が含まれる参照情報において、共有化定義ファイルに格納されているファイルサイズ情報と参照情報に含まれるファイルサイズ情報とが一致するか否かを判断する。
【０１４６】
ここでステップＳＰ４５で否定結果が得られると、このことは共有化定義ファイルに格納されているファイル名情報と、サービスサーバ３から受信した参照情報に含まれるファイル名情報とは一致するが、ファイルサイズ情報が異なること、すなわち共有化対象データの内容が更新されていることを表しており、このときパーソナルコンピュータ２ＢのＣＰＵ１０は、次のステップＳＰ４８へ移る。
【０１４７】
これに対してステップＳＰ４５で肯定結果が得られると、このことは共有化定義ファイルに格納されているファイル名情報と、サービスサーバ３から受信した参照情報に含まれるファイル名情報とが一致する他、ファイルサイズ情報も一致することを表しており、このときパーソナルコンピュータ２ＢのＣＰＵ１０は、次のステップＳＰ４６へ移る。
【０１４８】
ステップＳＰ４６においてパーソナルコンピュータ２ＢのＣＰＵ１０は、共有化定義ファイルに格納されているファイル名情報及びファイルサイズ情報と一致するファイル名情報及びファイルサイズ情報が含まれた参照情報において、共有化定義ファイルに格納されている更新日情報と参照情報に含まれる更新日情報とが一致するか否かを判断する。
【０１４９】
ここで否定結果が得られると、このことは共有化定義ファイルに格納されているファイル名情報及びファイルサイズ情報と、サービスサーバ３から受信した参照情報に含まれるファイル名情報及びファイルサイズ情報とが一致する他、更新日情報も一致すること、すなわち共有化対象データの内容が更新されていないことを表しており、このときパーソナルコンピュータ２ＢのＣＰＵ１０は、次のステップＳＰ４７へ移る。
【０１５０】
ステップＳＰ４７においてパーソナルコンピュータ２ＢのＣＰＵ１０は、ステップＳＰ４０で選択した共有化定義ファイルと、当該共有化定義ファイルに対応付けられた共有化対象データとをＨＤＤ２０のハードディスクにそのまま保存し、次のステップＳＰ５１へ移る。
【０１５１】
これに対してステップＳＰ４６で肯定結果が得られると、このことは共有化定義ファイルに格納されているファイル名情報及びファイルサイズ情報と、サービスサーバ３から受信した参照情報に含まれるファイル名情報及びファイルサイズ情報とは一致するが、更新日情報が異なること、すなわち共有化対象データの内容が更新されていることを表しており、このときパーソナルコンピュータ２ＢのＣＰＵ１０は、次のステップＳＰ４８へ移る。
【０１５２】
ステップＳＰ４８においてパーソナルコンピュータ２ＢのＣＰＵ１０は、ステップＳＰ４０で選択した共有化定義ファイルに格納している上書き設定情報によりサービスサーバ３で上書きされた際にその共有化対象データをパーソナルコンピュータ２Ｂでも合わせて上書きするように設定されているか否かを判断する。
【０１５３】
ここで否定結果が得られると、このことはステップＳＰ４０で選択した共有化定義ファイルに格納している上書き設定情報によりサービスサーバ３で上書きされた際にその共有化対象データをパーソナルコンピュータ２Ｂでは上書きしないように設定されていること、すなわち共有化対象データの共有化を解除してサービスサーバ３からの取得を中止するように設定れていることを表しており、このときパーソナルコンピュータ２ＢのＣＰＵ１０は、次のステップＳＰ４７へ移る。
【０１５４】
ステップＳＰ４７においてパーソナルコンピュータ２ＢのＣＰＵ１０は、ステップＳＰ４０で選択した共有化定義ファイルと、当該共有化定義ファイルに対応付けられた共有化対象データとをＨＤＤ２０のハードディスクにそのまま保存し、次のステップＳＰ５１へ移る。
【０１５５】
これに対してステップＳＰ４８で肯定結果が得られると、このことはステップＳＰ４０で選択した共有化定義ファイルに格納している上書き設定情報によりサービスサーバ３で上書きされた際にその共有化対象データをパーソナルコンピュータ２Ｂでも合わせて上書きするように設定されていることを表しており、このときパーソナルコンピュータ２ＢのＣＰＵ１０は、次のステップＳＰ４９へ移る。
【０１５６】
ステップＳＰ４９においてパーソナルコンピュータ２ＢのＣＰＵ１０は、ステップＳＰ４０で選択した共有化定義ファイルに格納されているサーバファイル識別情報をサービスサーバ３へ送信し、次のステップＳＰ５０へ移る。
【０１５７】
ステップＳＰ５０においてパーソナルコンピュータ２ＢのＣＰＵ１０は、サービスサーバ３から内容が更新された共有化対象データをダウンロードし、内容を更新する前の共有化対象データに上書きして記憶し、次のステップＳＰ５１へ移る。
【０１５８】
ステップＳＰ５１においてパーソナルコンピュータ２ＢのＣＰＵ１０は、他に共有化定義ファイルが存在するか否かを判断する。
【０１５９】
ここで肯定結果が得られると、このことは他に共有化定義ファイルが存在することを表しており、このときパーソナルコンピュータ２ＢのＣＰＵ１０は、次のステップＳＰ５２へ移る。
【０１６０】
ステップＳＰ５２においてパーソナルコンピュータ２ＢのＣＰＵ１０は、残りの共有化定義ファイルを選択し、再びステップＳＰ４１に戻り上述した処理を繰り返す。
【０１６１】
これに対してステップＳＰ５１で否定結果が得られると、このことは他に共有化定義ファイルが存在していないことを表しており、このときパーソナルコンピュータ２ＢのＣＰＵ１０は、次のステップＳＰ５３へ移って共有化対象データ処理手順を終了する。
【０１６２】
このようにしてパーソナルコンピュータ２Ｂでは、ＰＣ側削除設定情報及び上書き設定情報に対する設定に応じて、サービスサーバ３から取得した参照情報にかかわらず、共有化を解除した共有化対象データをそのまま保存し得るようになされている。
【０１６３】
（５）動作及び効果
以上の構成において、情報共有化システム１では、いずれかのパーソナルコンピュータ２Ａ及び２Ｂで所望の情報が共有化対象に指定されて共有化対象データとして、共有化定義ファイルに格納されているサーバファイル識別情報と対応付けてサービスサーバ３へアップロードすることにより、当該共有化対象データをサービスサーバ３でサーバファイル識別情報を用いて記憶管理させる。
【０１６４】
また情報共有化システム１では、他のパーソナルコンピュータ２Ａ及び２Ｂでユーザにより予め設定された所定の時間が経過すると、共有化定義ファイルに格納されているサーバファイル識別情報を用いて共有化対象データをダウンロードすることにより記憶する。
【０１６５】
これにより情報共有化システム１では、サービスサーバ３を利用して複数のパーソナルコンピュータ２Ａ及び２Ｂの間で種々のデータの共有化することができる。
【０１６６】
従って、情報共有化システム１では、個々のパーソナルコンピュータ２Ａ及び２Ｂで記憶しているデータのいずれでもこれら各パーソナルコンピュータ２Ａ及び２Ｂ間で共有化対象データとして共有化でき、それぞれ異なる場所に設置され、本来、個別に使用するパーソナルコンピュータ２Ａ及び２Ｂであってもそれぞれ同じ共有化対象データを再生、加工及び編集等の所定の処理に用いることができる。
【０１６７】
また情報共有化システム１では、いずれかのパーソナルコンピュータ２Ａ及び２Ｂで共有化対象データを再生、加工及び編集等の所定の処理に用いることにより内容が更新された場合、当該いずれかのパーソナルコンピュータ２Ａ及び２Ｂからその内容の更新された共有化対象データをサービスサーバ３を介して他のパーソナルコンピュータ２Ａ及び２Ｂに提供することにより、これら各パーソナルコンピュータ２Ａ及び２Ｂ間で共有化対象データの内容の更新に合わせて、各パーソナルコンピュータ２Ａ及び２ＢにおけるＨＤＤ２０のハードディスクに記憶された共有化対象データを更新した状態で共有化できる。
【０１６８】
また情報共有化システム１では、パーソナルコンピュータ２Ａ及び２Ｂ毎に各共有化定義ファイルのサーバ削除設定情報とＰＣ側削除設定情報と上書き設定情報とをユーザの好みに応じて個別に設定できる。
【０１６９】
これにより情報共有化システム１では、共有化対象データをパーソナルコンピュータ２Ａ及び２Ｂで削除した際に、共有化定義ファイルに格納しているサーバ削除設定情報によりパーソナルコンピュータ２Ａで共有化対象データを削除した際にサービスサーバ３側でも合わせて削除するように設定していると、少なくともサービスサーバ３において共有化対象データをそのまま保存させることにより、サービスサーバ３を当該共有化対象データのバックアップサーバとして使用できる。
【０１７０】
また情報共有化システム１では、共有化対象データがいずれかのパーソナルコンピュータ２Ａ及び２Ｂで削除されても、共有化定義ファイルに格納しているＰＣ側削除設定情報により共有化対象データがサービスサーバ３で削除された際にその共有化対象データをダウンロード側のパーソナルコンピュータ２Ａ又は２Ｂでは削除しないように設定していると、ダウンロード側のパーソナルコンピュータ２Ａ及び２Ｂには少なくとも共有化対象データが削除されずにそのまま保存させることにより、当該パーソナルコンピュータ２Ａ又は２Ｂを共有化対象データのバックアップ装置として使用できる。
【０１７１】
さらに情報共有化システム１では、ダウンロード側のパーソナルコンピュータ２Ａ及び２Ｂで共有化定義ファイルに格納している上書き設定情報によりサービスサーバ３から共有化対象データの取得を中止するように設定していると、サービスサーバ３から内容の更新された共有化対象データの取得を行わず、少なくとも上書きされる前の共有化対象データをそのまま保存することができ、当該パーソナルコンピュータ２Ａ又は２Ｂを共有化対象データのバックアップ装置として使用できる。
【０１７２】
またパーソナルコンピュータ２Ａ及び２Ｂは、所望のデータを共有化対象として指定するだけでサービスサーバ３への通信状態を確保し、当該サービスサーバ３へ共有化対象データをアップロードすることができ、ユーザに対して接続操作等の負担を軽減させることができる。
【０１７３】
さらに情報共有化システム１においては、例えば一方のパーソナルコンピュータ２Ａにウイルス等の故障が発生した場合、パーソナルコンピュータ２Ａに記憶している共有化対象データが予め自動的にサービスサーバ３や他のパーソナルコンピュータ２Ｂで記憶させておくことができ、かくして当該パーソナルコンピュータ２Ａで共有化対象データを所定の処理に用いることができなくなっても、他のパーソナルコンピュータ２Ｂで同じ共有化対象データを所定の処理に用いることができる。
【０１７４】
以上の構成によれば、情報共有化システム１では、いずれかのパーソナルコンピュータ２Ａ及び２Ｂで所望のデータが共有化対象に指定されると、当該指定された所望のデータを共有化対象データとしてサービスサーバ３へアップロードして記憶させると共に、他のパーソナルコンピュータ２Ａ及び２Ｂで当該共有化対象データをダウンロードさせて、各パーソナルコンピュータ２Ａ及び２Ｂ間で同じ共有化対象データを共有化させることにより、ユーザがいずれのパーソナルコンピュータ２Ａ及び２Ｂを使用した場合であっても同じ共有化対象データを再生、加工及び編集等の所定の処理に用いることができ、複数のパーソナルコンピュータ２Ａ及び２Ｂをあたかも一つのパーソナルコンピュータ２Ａ又は２Ｂを使用しているような感覚にし、使い勝手を向上させ得る。
【０１７５】
（６）他の実施の形態
なお上述の実施の形態においては、サービスサーバ３が記憶している全ての参照情報を、サービスサーバ３からダウンロード側のパーソナルコンピュータ２Ａ又は２Ｂへ一括して送信するようにした場合について述べたが、本発明はこれに限らず、ダウンロード側のパーソナルコンピュータ２Ａ又は２Ｂが記憶している共有化定義ファイルに格納されている参照情報を、当該パーソナルコンピュータ２Ａ又は２Ｂからサービスサーバ３へ一括して送信するようにしても良く、この場合、サービスサーバ３で当該パーソナルコンピュータ２Ａ又は２Ｂが記憶している参照情報に基づいて共有化対象データの更新や削除等を判断し得、サービスサーバ３から当該パーソナルコンピュータ２Ａ又は２Ｂへ共有化対象データを送信することができ、かくしてダウンロードの際にパーソナルコンピュータ２Ａ又は２Ｂにおける処理負担を軽減させることができる。
【０１７６】
また上述の実施の形態においては、アップロードの前にいずれかのパーソナルコンピュータ２Ａ及び２Ｂが予めサーバファイル識別情報要求データをサービスサーバ３へ送信することによりサーバファイル識別情報をいずれかのパーソナルコンピュータ２Ａ及び２Ｂで取得するようにした場合について述べたが、本発明はこれに限らず、アップロードの際にいずれかのパーソナルコンピュータ２Ａ及び２Ｂが共有化対象データ及び参照情報をサービスサーバ３へ送信することによりサーバファイル識別情報を直接サービスサーバ３で取得するようにしても良く、この場合、パーソナルコンピュータ２Ａ及び２Ｂにおいては、共有化対象データ及び参照情報をサービスサーバ３へ送信するだけで、当該サービスサーバ３で発行されたサーバファイル識別情報で特定されるファイルで共有化対象データ及び参照情報が管理され、パーソナルコンピュータ２Ａ及び２Ｂにおいてサーバファイル識別情報要求データを送信する必要がなくなり、かくしてパーソナルコンピュータ２Ａ及び２Ｂの処理負担を軽減できる。
【０１７７】
さらに上述した実施の形態においては、サービスサーバ３において共有化対象データ等を管理だけするようにした場合について述べたが、本発明はこれに限らず、サービスサーバ３において共有化対象データを管理する他、当該管理している共有化対象データ等をサービスサーバ３のＷｅｂページ上で公衆に公開するようにして良い。
【０１７８】
この場合、共有化定義ファイルに格納する情報として公開要求情報を追加し、当該公開要求情報において、サービスサーバ３へ共有化対象データを送信する際にＷｅｂページ上で公衆に公開するか否かの設定させるようにすれば、ユーザの好みに応じて共有化対象データを公開できる。因みにサービスサーバ３のＷｅｂページ上で公開されることにより、当該共有化対象データをダウンロードできる目安としても良い。
【０１７９】
さらに上述した実施の形態においては、一人のユーザが複数のパーソナルコンピュータ２Ａ及び２Ｂを使用するような場合について述べたが、本発明はこれに限らず、異なるユーザがそれぞれパーソナルコンピュータ２Ａ及び２Ｂを使用するような場合について適用するようにしても良い。
【０１８０】
さらに上述した実施の形態においては、アップロードの際に内容が更新された共有化対象データをサービスサーバ３が受信するとすでに記憶されている共有化対象データに上書きするようにした場合について述べたが、本発明はこれに限らず、アップロードの際に内容が更新された共有化対象データをサービスサーバ３が受信すると、パーソナルコンピュータ２Ａ及び２Ｂでアップロードする際に設定した設定条件に応じて、サービスサーバ３で上書きするか否かを設定できるようにして良く、この場合、共有化定義ファイルに格納する情報としてサーバ側上書き許可情報を追加し、当該サーバ側上書き許可情報において、サービスサーバ３へ共有化対象データを送信する際に上書きするか否かを設定するようにすれば良い。
【０１８１】
さらに上述の実施の形態においては、いずれかのパーソナルコンピュータ２Ａ及び２Ｂで所定のデータが共有化対象に新たに指定されたり、或いは共有化対象データの内容が更新され、また共有化対象データが削除されるとアップロードするようにした場合について述べたが、本発明はこれに限らず、いずれかのパーソナルコンピュータ２Ａ及び２Ｂで所定時間間隔や、一日に一度行う等その他種々のタイミングでアップロードするようにしても良い。
【０１８２】
さらに上述した実施の形態においては、ユーザにより予め設定された所定の時間間隔で周期的にパーソナルコンピュータ２Ａ及び２Ｂが参照情報をダウンロードするようにした場合について述べたが、本発明はこれに限らず、アップロードする際や一日に一度等その他種々のタイミングでパーソナルコンピュータ２Ａ及び２Ｂが参照情報をダウンロードするようにしたり、或いはパーソナルコンピュータ２Ａ及び２Ｂとサービスサーバ３とがネットワーク４を介して常時通信状態が確保され、サービスサーバ３がパーソナルコンピュータ２Ａ及び２Ｂから共有化対象データや削除要求データを受信すると、当該サービスサーバ３が共有化通知データや削除通知データをパーソナルコンピュータ２Ａ及び２Ｂに送信し、これに応じてパーソナルコンピュータ２Ａ及び２Ｂが参照情報要求データをサービスサーバ３へ送信して参照情報を受信するようにしても良い。
【０１８３】
この場合、いずれかのパーソナルコンピュータ２Ａ及び２Ｂで所定のデータが共有化対象に新たに指定されたり、或いは共有化対象データの内容が更新され、また共有化対象データが削除されると、これに応じて他方のパーソナルコンピュータ２Ａ及び２Ｂにおいて参照情報をダウンロードすることができ、かくして一段と迅速に所定のデータを共有化できる。
【０１８４】
さらに上述した実施の形態においては、サーバ側削除設定情報により共有化対象データをいずれかのパーソナルコンピュータ２Ａ及び２Ｂで削除した際にサービスサーバ３側ではその共有化対象データを削除しないように設定されていると、共有化対象データを削除したことをいずれかのパーソナルコンピュータ２Ａ及び２Ｂからサービスサーバ３へ何ら通知しないようにした場合について述べたが、本発明はこれに限らず、サーバ側削除設定情報により共有化対象データをいずれかのパーソナルコンピュータ２Ａ及び２Ｂで削除した際にサービスサーバ３側ではその共有化対象データを削除しないように設定されていると、サービスサーバ３で共有化対象データを保存させることを示す保存通知データをいずれかのパーソナルコンピュータ２Ａ及び２Ｂからサービスサーバ３へ送信するようにしても良い。
【０１８５】
この場合、サービスサーバ３は、ダウンロード側の他のパーソナルコンピュータ２Ａ及び２Ｂへ保存通知データをそのまま送信するようにすれば、保存通知データに基づいていずれかのパーソナルコンピュータ２Ａ及び２Ｂで共有化対象データが削除されていることを他のダウンロード側のパーソナルコンピュータ２Ａ及び２Ｂで認識させることができる。
【０１８６】
さらに上述した実施の形態においては、アップロードの際、パーソナルコンピュータ２Ａ及び２Ｂから共有化対象データの他、参照情報とサーバファイル識別情報とをサービスサーバ３へ送信するようにした場合について述べたが、本発明はこれに限らず、アップロードの際、パーソナルコンピュータ２Ａ及び２Ｂから共有化対象データの他、当該共有化対象データに対応付けた共有化定義ファイル自体をサービスサーバ３へ送信するようにしても良い。
【０１８７】
因みに、この場合、共有化定義ファイルには、各パーソナルコンピュータ２Ａ及び２Ｂ毎に設定されたサーバ側削除設定情報、ＰＣ側削除設定情報及び上書き設定情報が格納されることにより、各パーソナルコンピュータ２Ａ及び２Ｂ毎に個別に設定できる。
【０１８８】
さらに上述した実施の形態においては、上書き設定情報により共有化対象データの共有化が解除されてサービスサーバ３からの取得を中止するように設定されていると、サービスサーバ３へ何ら通知しないことにより当該サービスサーバ３からの上書きされた共有化対象データの取得を中止するようにした場合について述べたが、本発明はこれに限らず、上書き設定情報により共有化対象データの共有化が解除されてサービスサーバ３からの取得を中止するように設定されていても、サービスサーバ３へ保管通知データを送信することにより当該サービスサーバ３から上書きされた共有化対象データを取得して保管するようにしても良く、この場合、内容を更新する前の共有化対象データと内容を更新した後の共有化対象データと取得することができる。因みに、この場合、ファイル名情報とサーバファイル識別情報とが同じものが二つ記憶することを避けるため、ファイル名情報を任意のファイル名に自動的に変更する共に、新しいサーバファイル識別情報を新ためてサービスサーバ３へ取得するようにすれば良い。
【０１８９】
さらに上述した実施の形態においては、共有化対象データの更新日でなる更新日情報を共有化定義ファイルに格納するようにした場合について述べたが、本発明はこれに限らず、共有化対象データの更新日の他、更新した時分秒でなる更新日時情報を共有化定義ファイルに格納するようにしても良く、この場合、共有化対象データを更新した時点が一段と明確になり、かくしてすでに記憶されている共有化対象データの内容が更新されたか否かを一段と正確に判断できる。
【０１９０】
さらに上述した実施の形態においては、ファイル単位で共有化させるようにした場合について述べたが、本発明はこれに限らず、ファイルよりも上位の管理単位であるフォルダ単位で共有化させるようにしても良く、この場合、フォルダに格納された複数のファイルを一括してサービスサーバ３へアップロードしたり、或いはダウンロードすることができ、かくして所定のデータを共有化対象として指定する際、ファイル選択画面１０５（図４）上でその都度ファイル選択用アイコン１０６Ａ〜１０６Ｎをカーソル１０２で個別に選択指示する必要がなくなり、一段と簡易な操作で共有化対象データを共有化できる。
【０１９１】
さらに上述した実施の形態においては、サービスサーバ３において、他のパーソナルコンピュータ２Ａ及び２Ｂから参照情報要求データを受信すると、これに応じて当該他のパーソナルコンピュータ２Ａ及び２Ｂへ参照情報と共有化対象データとを送信するようにした場合について述べたが、本発明はこれに限らず、サービスサーバ３において、他のパーソナルコンピュータ２Ａ及び２Ｂとの間で通信状態が確保されると、これに応じて当該参照情報と共有化対象データとを送信するようにしても良い。
【０１９２】
この場合、例えばパーソナルコンピュータ２Ａ及び２Ｂにおいては、サービスサーバ３との間で通信状態を確保しさえすれば、参照情報と共有化対象データとをダウンロードすることができることから、当該ダウンロードの際に参照情報要求データの送信処理が不要になり処理負担を軽減できる。
【０１９３】
さらに上述した実施の形態においては、サービスサーバ３において、参照情報及び共有化対象データをサーバファイル識別情報で特定するファイルとして管理するようにした場合について述べたが、本発明はこれに限らず、サービスサーバ３において、参照情報及び共有化対象データを共有化定義ファイルに格納されているファイル名情報で特定するファイルとして管理するようにしても良い。
【０１９４】
さらに上述した実施の形態においては、２台のパーソナルコンピュータ２Ａ及び２Ｂを適用するようにした場合について述べたが、本発明はこれに限らず、３台以上の複数のパーソナルコンピュータを適用するようにしても良い。
【０１９５】
さらに上述した実施の形態においては、パーソナルコンピュータ２Ａ及び２ＢのＨＤＤ２０に予め格納している共有化対象データ処理プログラムに従って図１１に示した共有化対象データ処理を実行したり、共有化対象情報作成プログラムに従って共有化対象データを指定するようにした場合について述べたが、本発明はこれに限らず、様々なプログラム格納媒体に共有化対象データ処理プログラム及び共有化対象情報作成プログラムを格納しておき、当該プログラム格納媒体を用いて、共有化対象データ処理プログラム及び共有化対象情報作成プログラムをパーソナルコンピュータ２Ａ及び２Ｂにインストールするようにしても良い。
【０１９６】
このように、上述した共有化対象データ処理プログラム及び共有化対象情報作成プログラムをパーソナルコンピュータ２Ａ及び２Ｂにインストールして実行可能な状態とするためのプログラム格納媒体としては、例えばフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ−ＲＯＭ（Ｄｉｇｉｔａｌ  Ｖｉｄｅｏ  Ｄｉｓｃ−Ｒｅａｄ  Ｏｎｌｙ  Ｍｅｍｏｒｙ）等のパッケージメディアのみならず、プログラムが一時的もしくは永続的に格納される半導体メモリや磁気ディスク等で実現しても良い。また、これらプログラム格納媒体に共有化対象データ処理プログラム及び共有化対象情報作成プログラムを格納する手段としては、ローカルエリアネットワークやインターネット、ディジタル衛星放送等の有線及び無線通信媒体を使用しても良く、ルータやモデム等の各種インターフェースを介在して格納するようにしても良い。
【０１９７】
さらに上述した実施の形態においては、本発明による情報処理装置についてパーソナルコンピュータ２Ａ及び２Ｂを適用するようにした場合について述べたが、本発明はこれに限らず、ＰＤＡ（Ｐｅｒｓｏｎａｌ  Ｄｉｇｉｔａｌ  Ａｓｓｉｓｔａｎｃｅ）  等この他種々の情報処理装置を適用するようにしても良い。
【０１９８】
さらに上述した実施の形態においては、共有化対象情報記憶手段として、ＨＤＤ４２及びＣＰＵ４０を適用するようにした場合について述べたが、本発明はこれに限らず、記録媒体として光磁気ディスク等を用いる共有化対象情報記憶手段のように、この他種々の共有化対象情報記憶手段を広く適用することができる。
【０１９９】
さらに上述した実施の形態においては、共有化情報送信手段として、ネットワークインターフェイス４４及びＣＰＵ４０を適用するようにした場合について述べたが、本発明はこれに限らず、ネットワークに応じてモデム等のように、この他種々の共有化情報送信手段を広く適用することができる。
【０２００】
さらに上述した実施の形態においては、指定手段として、入力部２９、入力制御部２４及び液晶ディスプレイ３０を適用するようにした場合について述べたが、本発明はこれに限らず、タッチパネルやポンティングデバイス等のように、この他種々の指定手段を広く適用することができる。
【０２０１】
さらに上述した実施の形態においては、共有化対象情報送信手段として、モデム１５及びＣＰＵ１０を適用するようにした場合について述べたが、本発明はこれに限らず、この他種々の共有化対象情報送信手段を広く適用することができる。
【０２０２】
さらに上述した実施の形態においては、削除指示手段として、入力部２９、入力制御部２４及び液晶ディスプレイ３０を適用するようにした場合について述べたが、本発明はこれに限らず、タッチパネルやポンティングデバイス等のように、この他種々の削除手段を広く適用することができる。
【０２０３】
さらに上述した実施の形態においては、記憶装置削除設定指定手段として、入力部２９、入力制御部２４及び液晶ディスプレイ３０を適用するようにした場合について述べたが、本発明はこれに限らず、タッチパネルやポンティングデバイス等のように、この他種々の記憶装置削除設定指定手段を広く適用することができる。
【０２０４】
さらに上述した実施の形態においては、記憶手段削除設定指定手段として、入力部２９、入力制御部２４及び液晶ディスプレイ３０を適用するようにした場合について述べたが、本発明はこれに限らず、タッチパネルやポンティングデバイス等のように、この他種々の記憶装置削除設定指定手段を広く適用することができる。
【０２０５】
【発明の効果】
上述のように本発明によれば、各情報処理装置において同じ共有対象情報を共有させることにより、ユーザがいずれの情報処理装置を使用した場合であっても同じ共有対象情報を用いることができ、かくして複数の情報処理装置をあたかも一つの情報処理装置を使用しているような感覚にし、使い勝手を向上させ得る情報共有化システムを実現できる。
【図面の簡単な説明】
【図１】本発明による情報共有化システムの全体構成を示す略線図である。
【図２】本発明によるパーソナルコンピュータの回路構成を示すブロック図である。
【図３】フォルダ選択画面の構成を示す略線図である。
【図４】ファイル選択画面の構成を示す略線図である。
【図５】共有化定義ファイル設定画面の構成を示す略線図である。
【図６】完成された共有化定義ファイルの様子を示す略線図である。
【図７】サービスサーバの回路構成を示すブロック図である。
【図８】共有化処理手順（１）を示すシーケンスチャートである。
【図９】共有化処理手順（２）を示すシーケンスチャートである。
【図１０】新着処理手順を示すフローチャートである。
【図１１】共有化対象データ処理手順を示すフローチャートである。
【符号の説明】
１……情報共有化システム、２Ａ、２Ｂ……パーソナルコンピュータ、３……サービスサーバ、４……ネットワーク、１０、４０……ＣＰＵ、３０……液晶ディスプレイ、２０、４２……ＨＤＤ、１２……メモリ、１５……モデム。
【図１】
2004220451.tif 000003
【図２】
2004220451.tif 000004
【図３】
2004220451.tif 000005
【図４】
2004220451.tif 000006
【図５】
2004220451.tif 000007
【図６】
2004220451.tif 000008
【図７】
2004220451.tif 000009
【図８】
2004220451.tif 000010
【図９】
2004220451.tif 000011
【図１０】
2004220451.tif 000012
【図１１】
2004220451.tif 000013